(57)【要約】【課題】録画再生装置の電源投入から録画開始までの一連の操作をテレビ側の操作で簡単・確実に行うことができるテレビジョン装置を提供する。【解決手段】録画再生装置のリモコン信号フォーマットおよびリモコンコードを予め記憶したメモリと、該録画再生装置のリモコンコードをリモコン信号として出力するＩＲ送信部を備え、内部の状態として、非ロック状態のときには、「ロック」キー操作によって、表示されている映像がチューナーの出力の場合は自らロック状態となり、前記ＩＲ送信部から前記録画リモコンコードをリモコン信号として出力するようにし、ロック状態のときには、リモコンもしくは本体上のキー操作によって第２の指令が与えられたとき、３つの選択肢を持った警告表示を行い、それぞれに応じた状態になるよう前記ＩＲ送信部から前記録画リモコンコードをリモコン信号として出力するようにしたものである。【選択図】図２
2007251628.tif 000002
【特許請求の範囲】
【請求項１】
本体に接続されうる複数種類の外部録画装置のリモコン信号フォーマットおよび録画、停止を含むリモコンコードを予め記憶すると共に、該複数種類の録画装置の中から１つを選択したものを記憶しておくメモリと、該選択された録画装置の録画、停止を含む前記録画装置のリモコンコードを前記リモコン信号フォーマットに則りリモコン信号として外部の録画装置に出力するＩＲ送信部を備え、内部の状態として、ロック状態、非ロック状態の２つの状態を持ち、一方の非ロック状態のときに、リモコンもしくは本体上のキー操作によって第１の指令が与えられたとき、表示されている映像が本体のチューナーからの出力の場合は自らロック状態となり、該ロック状態においては、前記チューナーの映像／音声出力を外部出力端子より出力すると同時に該チューナーの選局、および音声モードを固定し、前記ＩＲ送信部から前記選択された録画装置の録画リモコンコードをリモコン信号として出力し、他方のロック状態のときに、リモコンもしくは本体上のキー操作によって第２の指令が与えられたとき、３つの選択肢を持った警告表示を行い、第１の選択肢が選択されたときにはロック状態をそのまま継続し、第２の選択肢が選択されたときには非ロック状態に戻り、前記チューナーの選局、音声モードの固定も解除し、第３の選択肢が選択されたときには第２の選択肢時の動作を行った上でさらに前記選択された録画装置の停止のリモコンコードを前記ＩＲ送信部よりリモコン信号として出力することを特徴としたテレビジョン受像機。
【請求項２】
リモコンもしくは本体上のキー操作による第２の指令は、本体のチューナーのチャンネル切り替え操作、同チューナーの音声切り替え操作、電源オフ操作、または、前記第１の指令であることを特徴とする請求項１記載のテレビジョン受像機。
【請求項３】
接続しうる複数種類の録画装置の電源入／切、もしくは電源オンを意味するリモコンコード、および、電源入／切、もしくは電源オン送信後に次のリモコンコードを受け付けるようになるまでの時間以上の第１のウエイト時間を予め記憶しておき、非ロック状態からロック状態になったときに、前記選択された録画装置の電源、もしくは電源オンリモコンコードを前記ＩＲ送出部より送出した後、前記第１のウエイト時間経過後に録画リモコンコードを送出することを特徴とした請求項１または請求項２記載のテレビジョン受像機。
【請求項４】
特定の外部入力を指定できるリモコンコードを持っている録画装置に対して、予め特定の外部入力への切換を意味するリモコンコードを記憶しておき、非ロック状態からロック状態になったときに、録画リモコンコードを送出する前に前記特定の外部入力への切換リモコンコードを送出することを特徴とした請求項１から請求項３の何れかに記載のテレビジョン受像機。
【請求項５】
記録媒体としてＨＤＤとそれ以外の媒体を持っている録画装置に対して、予めＨＤＤへの切換を意味するリモコンコードを記憶しておき、非ロック状態からロック状態になったときに、録画リモコンコードを送出する前に前記ＨＤＤへの切換リモコンコードを送出することを特徴とした請求項１から請求項４の何れかに記載のテレビジョン受像機。
【請求項６】
１つ以上の外部入力を持ち、該外部入力の映像／音声信号と前記チューナーの映像／音声信号を切り替えて前記外部出力端子へ接続するスイッチを備え、外部入力の信号を視聴しているときに非ロック状態からロック状態に移行したときには、上記スイッチは外部入力に接続した状態で固定され、前記チューナーの選局、音声モードは固定されないことを特徴とした請求項１から請求項５の何れかに記載のテレビジョン受像機。
【請求項７】
複数のチューナーを持ち、該複数のチューナーの映像／音声信号を切り替えて前記外部出力端子へ接続するスイッチを備え、第１のチューナーの信号を視聴しているときに非ロック状態からロック状態に移行したときには、上記スイッチは第１のチューナーに接続した状態で固定され、第１のチューナーの選局、音声モードは固定される一方、第１のチューナー以外のチューナーの選局、音声モードは固定されないことを特徴とした請求項１から請求項６の何れかに記載のテレビジョン受像機。
【請求項８】
外部入力端子と、該外部入力端子から入力される映像信号を入力し同期信号の有無を判定する同期信号検出回路と、該同期信号検出回路の検出結果を入力するテレビ制御手段を持ち、該テレビ制御手段においては、非ロック状態からロック状態になったときに前記同期信号検出回路の検出結果を判定するステップ１と、同期信号ありと判定されたときには、前記選択された録画装置の録画リモコンコードを送出するステップ２と、同期信号なしと判定されたときには、前記選択された録画装置の電源リモコンコードを送出し、前記第１のウエイト時間以上経過後にステップ１に戻るステップ３と、予め定めた回数以上同期信号なしと判定されたときにはステップ３に進まないようにしたことを特徴とする請求項１から請求項７の何れかに記載のテレビジョン受像機。
【発明の詳細な説明】
【技術分野】
【０００１】
本発明は、放送波を受信、復調し録画再生装置に出力する機能を有し、且つその録画再生装置を操作する手段を有するテレビジョン受像機に関するものである。
【背景技術】
【０００２】
近年、デジタル放送の普及に伴い、デジタル放送の録画のニーズは高まりつつあるが、デジタルチューナ回路が内蔵された録画再生装置は、まだ一部に限られている。ユーザがデジタルチューナ非内蔵の録画再生装置、およびデジタルチューナ内蔵のテレビを持っている場合にデジタル放送を録画する方法としては、従来、テレビに、希望時刻・希望チャンネルを予約・実行する番組予約機能の他に、希望時刻・希望チャンネルをＶＴＲ等外部録画機器に録画制御する録画予約機能を持たせ、録画開始時間になると予め予約しておいたチャンネルを選択し、録画モードとする等のコマンドをテレビからＶＴＲ等外部機器に伝送することにより、録画開始時間になると自動的に録画チャンネルの信号が外部録画機器に録画されるようにしたものがある。（例えば特許文献１を参照）
【０００３】
また、より簡単な手段としては、テレビのリモコンの「チャンネルロック」キーが押されることによって、テレビの選局などが固定され、テレビの出力端子から、録画したいチャンネルの映像、音声が確実に出力されるようにしたものがある。（例えば特許文献２を参照）
【０００４】
【特許文献１】特開２００２−２３８００１号公報
【特許文献２】特開平７−７９３８７号公報
【発明の開示】
【発明が解決しようとする課題】
【０００５】
しかし、テレビを視聴中に今すぐに現在の視聴番組を録画したいと思った場合には、前記特許文献１の予約操作では、時間が掛かり過ぎ即応性に欠けると共に操作も煩わしい問題がある。また、特許文献２の方法では、録画開始時のテレビ側の操作は即座に可能であるが、録画再生装置の方の録画操作も別途必要となり、また、録画終了時においても、テレビ側でチャンネルロック状態を解除した上で、録画再生装置の方も録画を停止する操作を別々に行う必要があり、これまた操作が煩わしいという問題があった。
この発明は、これらの問題を解決し、録画再生装置の電源投入から録画開始までの一連の操作をテレビ側の操作で簡単・確実に行うことができるテレビジョン装置を提供するものである。
【課題を解決するための手段】
【０００６】
本発明のテレビジョン受像機は、本体に接続されうる複数種類の外部録画装置のリモコン信号フォーマットおよび録画、停止を含むリモコンコードを予め記憶し、さらに、該複数種類の録画装置の中から１つを選択したものを記憶しておくメモリと、該選択された録画装置の録画、停止を含むリモコンコードを前記リモコン信号フォーマットに則りリモコン信号として外部録画装置に出力するＩＲ送信部を備え、
【０００７】
内部の状態として、ロック状態、非ロック状態の２つの状態を持ち、非ロック状態のときには、リモコンもしくは本体上のキー操作によって第１の指令が与えられたとき、表示されている映像がチューナーの出力の場合は自らロック状態となり、前記チューナーの映像／音声出力を外部出力端子より出力すると同時に該チューナーの選局、および音声モードを固定し、前記ＩＲ送信部から前記選択された録画装置の録画リモコンコードをリモコン信号として出力するようにし、
【０００８】
また、ロック状態のときにリモコンもしくは本体上のキー操作によって第２の指令が与えられたとき、３つの選択肢を持った警告表示を行い、第１の選択肢が選択されたときにはロック状態をそのまま継続し、第２の選択肢が選択されたときには非ロック状態に戻り、前記チューナーの選局、音声モードの固定も解除し、第３の選択肢が選択されたときには第２の選択肢時の動作を行った上でさらに前記選択された録画装置の停止のリモコンコードを前記ＩＲ送信部よりリモコン信号として出力するようにしたものである。
【発明の効果】
【０００９】
例えばリモコンの「ロック」キーを押すなど簡単な操作でチューナーの選局、音声モードを固定できる上、同時に録画装置に対してその「録画」リモコンコードを創出することによって、迅速にかつ簡単に現在視聴中の番組を録画開始することが出来る。
【００１０】
さらに、録画中に間違ってチャンネル切換、音声切換、電源オフなどをしようとしたときには、警告表示が出るため、録画中であることを再認識でき、さらにロック状態を解除する場合にも実際に録画装置を停止してよいかどうかを考えた上でユーザ自ら選択することによって録画を失敗することを防止できる。
【発明を実施するための最良の形態】
【００１１】
実施の形態１.
以下、録画再生装置に例えばハードディスク内蔵ＤＶＤレコーダ(以下ＤＶＤレコーダという)を使用した場合を想定して、本発明のテレビジョン受像機を説明する。図１は本発明の実施の形態１になるシステム構成の外観図を示している。図中、テレビ１には、リモコン赤外線発光部２２がその先端に取付けられた赤外線発光ケーブル８が接続されている。本図の例ではリモコン赤外線発光部２２は、ＤＶＤレコーダー２のリモコン受光部１５に近接して置かれており、ＤＶＤレコーダー２のリモコン受光部１５は、このリモコン赤外線発光部２２からの赤外線信号を検出し、テレビ１からＤＶＤレコーダー２の録画制御も受けられるようにしている。
【００１２】
図２は図１で説明したシステムの内部構成図の一例を示している。同図において、チューナー部６は、テレビ制御手段７からの制御信号によって、アンテナ１０により受信した信号のうち、ユーザが選択したチャンネルの映像および音声信号を得る。これにより得られた映像・音声信号は外部出力回路１８に供給される。チューナー部６から出力された映像信号は、一方で映像表示回路１２に入力される。映像表示回路１２は、前記映像信号と、後述するテレビ制御手段７から出力されるＯＳＤ（オンスクリーンディスプレイ）用信号とをブラウン管や液晶パネルなどの表示デバイスに表示する。
【００１３】
テレビ制御手段７は、内部にＣＰＵ、タイマ、メモリなどを持つマイコンであり、前記メモリには、各種ＤＶＤレコーダーやＶＴＲのリモコンのフォーマット情報や、さらには電源制御、外部入力切換、録画媒体切換、録画に対応するリモコンコード、さらには、それらのキーコードを続けて送出するときのウエイト時間Ｔ１、Ｔ２、Ｔ３が記憶され、さらにユーザがメニューなどを通じて前記複数のＤＶＤレコーダー、ＶＴＲの中から選択した録画再生装置として使用するＤＶＤレコーダー／ＶＴＲの種類が記憶されている。
【００１４】
さらに、テレビ制御手段７は、リモコン受光部１４にて受信したリモコン信号を入力してこれを解読し、その内容に応じてチューナー部６を制御し、警告表示などが必要な場合には、映像表示回路１２に表示データを送出し、さらには、「ロック」ボタンであったら、前記メモリに記憶されているユーザが選択したＤＶＤレコーダー／ＶＴＲの種類に対応した、フォーマット情報および電源コマンド、入力切換コマンド、録画コマンドに相当するリモコンコードを読み出し、前記タイマを用いて、読み出したフォーマット情報に即したタイミングで読み出したリモコンコードをシリアル信号として出力する。ＩＲ送信部５は、上記テレビ制御手段７からのシリアル信号をリモコン用赤外線に重畳し、リモコン信号として出力する。出力された前記リモコン信号は赤外線発行ケーブル８を介して赤外線発光部２２より出力される。
【００１５】
また、テレビ１は、アンテナ１０およびチューナー部６で受信し復調した映像信号および音声信号をＤＶＤレコーダー２に供給するための図示しない外部出力端子を含む外部出力回路１８を備えており、この外部出力回路１８の出力はＤＶＤレコーダー２の外部入力端子群のうち、第１の外部入力端子１９ａにＡＶケーブル９で結ばれテレビ１の受信チャンネルの映像・音声がＤＶＤレコーダー２に供給される。更に、テレビ１には、例えば「電源オン」ボタン、「各種チャンネル選択」ボタン、「録画」ボタンのほか「ロック」ボタン３a等を備えているリモコン３が付属しており、またテレビ１にはこのリモコン３から発射された赤外線信号を受信するリモコン受光部１４を備えている。
【００１６】
以下、図３の前記テレビ制御手段７内部のＣＰＵの処理についてのフローチャートを用いて詳細に説明する。
まず、前提として、図示せぬメニュー画面などを用いて予め前記メモリに記憶されている各種録画再生装置のリモコンコードの表の中からユーザが実際にテレビに接続している録画再生装置を選択しておく。ここでは、選択された録画再生装置がＨＤＤ（ハードディスク）内蔵のＤＶＤレコーダーと仮定して説明する。また、予め、テレビの録画用の映像／音声出力をＤＶＤレコーダーの第１の外部入力端子１９aに接続しておく。
【００１７】
ユーザがテレビのあるチャンネルを視聴している状態にて、テレビ制御手段７はリモコンキーの入力待ち状態となっている。ここで、チャンネルロックしていない状態にて「ロック」キーが入力された場合、ステップＳ１００（ＹＥＳ）、ステップＳ１０１（ＮＯ）、ステップＳ１０２（ＹＥＳ）となり、「チャンネルロック」モード（ステップＳ１０３）となる。「ロック」キーが入力されていない場合にはそのままそのコードに応じた処理（ステップ１１８）を行い、次のコード入力を待つ。ここで「チャンネルロック」モードというのは、現在視聴中のチャンネルに固定するのみならず、主／副などの音声モードも固定することを意味する。続いて、メモリの中からユーザが選択した録画再生装置（ＤＶＤレコーダー）の「電源オン」キーコードを参照し、メモリに記憶されている該ＤＶＤレコーダー２のリモコンフォーマットに則り、前記「電源オン」キーコードを送出する（ステップＳ１０４）。これによりＤＶＤレコーダー２の電源はオンする。
【００１８】
続いて、前記ウエイト時間Ｔ１だけウエイトした後、同様に該ＤＶＤレコーダー２の「外部入力１選択」キーコードを送出する（ステップＳ１０５）。これにより、ＤＶＤレコーダー２の外部入力１端子の信号、即ち、テレビ１からの信号が録画回路に入力される。続いて前記ウエイト時間Ｔ２だけウエイトした後、該ＤＶＤレコーダーの「ＨＤＤ選択」キーコードを送出する（ステップＳ１０６）。これにより、ＤＶＤレコーダーの記録媒体としてＨＤＤが選択される。続いて、前記ウエイト時間Ｔ３だけウエイトした後、該ＤＶＤレコーダーの「録画」キーコードを送出し（ステップＳ１０７）、録画を開始させる。
【００１９】
ここで、ウエイト時間Ｔ１、Ｔ２、Ｔ３を録画再生装置ごとに設けているのは、録画再生装置によっては「電源オン」コードを受信してから、実際に電源がオンして他のリモコンキーを受け付けられるようになるまでの時間（＝Ｔ１０）、「外部入力１選択」コードを受信してから「ＨＤＤ選択」コードを受け付けられるようになるまでの時間（＝Ｔ２０）、「ＨＤＤ選択」コードを受信してから「録画」コードを受け付けられるようになるまでの時間（＝Ｔ３０）が存在し、かつその値は録画再生装置ごとに異なるため、Ｔ１，Ｔ２，Ｔ３としては録画再生装置ごとに以下の式を満足する値が設定されており、確実に各コマンドが受信されるようにしている。
【００２０】
Ｔ１  ≧  Ｔ１０                                                  （１）
Ｔ２  ≧  Ｔ２０                                                  （２）
Ｔ３  ≧  Ｔ３０                                                  （３）
また、上記のように、記録媒体を「ＨＤＤ」にわざわざ切り換えているのは、ユーザがそれ以前の段階で永久保存すべき映像をＤＶＤ−ＲＯＭに編集／録画していた場合に、このＤＶＤに録画番組が意図せずに録画されてしまったりすることを避けるためである。
【００２１】
次に、既にチャンネルロックしている状態、即ち録画をしているときにキー入力があった場合について説明する。
もし、「チャンネル切換」や「音声切換」など録画している映像、音声信号を切り替えるようなキー操作がなされた場合、また、再度「ロック」キーが押された場合、図４のように、録画をしていることを知らせる警告表示を行う（ステップＳ１０８）。さらに、警告表示中に受け付けたリモコンキーが、十字キーの「左／右」キーならば（ステップＳ１０９）、警告表示内の選択肢の間をカーソル移動させ（ステップＳ１１０）、「決定」キーならば（ステップＳ１１１）選択されている選択肢に沿った動作を行い、それ以外のキーならば警告表示を消して（ステップＳ１１２）、押されたキーに応じた処理を行う。ここで、警告表示中に「決定」キーが押された場合の各選択肢の動作について説明する。
【００２２】
図４の下部の３つの選択肢の一番右側の「ロック解除＋停止」（ステップＳ１１３）は、ユーザが「ロック」キーによって録画を開始した後、録画番組が終了し、録画再生装置ではその他の番組を録画していない場合に選択されるべきものであって、これを選択されたときには、テレビは警告表示が消され、ＤＶＤレコーダー２に対して、ＤＶＤレコーダーの「停止」に相当するコードを送出し（ステップＳ１１４）、さらに、チャンネルロック状態を解除する（ステップＳ１１５）。
【００２３】
また、図４の選択肢のうち、真ん中の「ロック解除のみ」（ステップＳ１１６）は、ユーザが「ロック」キーによってテレビの番組を録画開始した後、その録画番組は終了したものの、ＤＶＤレコーダーでは引き続きＤＶＤレコーダー内部のチューナーを用いた別の番組の録画を行っている場合に選択されるべきものである。これを選択すると、警告表示は消され、テレビのチャンネルロック状態は解除されるが、ＤＶＤレコーダーに対しては、「停止」などのコード送出は行われず、ＤＶＤレコーダーの録画は継続される。また、図４の左側の選択肢「ロック解除しない」は、ユーザが「ロック」キーによって録画を開始してから、その録画番組がまだ終了していないときに選択されるべきものである。これを選択すると、警告表示が消される（ステップＳ１１７）のみでテレビのチャンネルロック状態は継続される。
【００２４】
上記のように録画中にも拘わらず、不用意にチャンネルを変えようとしたときに警告表示を出してロック解除しても良いかどうかの確認をすることによって、録画が失敗する危険をなくすことが出来る。さらには、録画を終了する意志があるときに、テレビ側のロック解除のみなのか、ロック解除の上にＤＶＤレコーダーの録画も停止してしまってよいのかどうかの確認も同時に行うことによって、ＤＶＤレコーダーで既に別の放送の録画を始めている場合の録画失敗を避けることが可能となる。
【００２５】
また、意図的にロック、録画を終了したい場合には、再度「ロック」キーを押すことによって、図４の警告表示が出るため、容易にかつ、確実に確認しながらロック解除、録画停止をすることが出来る。
ここで、電源コマンドに対するＤＶＤレコーダーの電源は、通常コマンドを受け取るごとに状態を反転するいわゆるトグル動作を行う場合が多い。上述の例では電源オンを出力するように設定されているが、トグルコマンドしかないような場合は、録画設定状態であらかじめＤＶＤレコーダーの電源をオフにしておくことにより対処することができる。
【００２６】
また、実施例１では、録画再生装置としてＨＤＤ内蔵のＤＶＤレコーダーを前提としているが、ＨＤＤ非内蔵のＤＶＤレコーダーの場合は、前記「ＨＤＤ切換」コードの送出は不要である。また、外部入力端子が１系統しかない録画再生装置の場合、前記「外部入力１への切換」コードの送出は不要である。また、リモコン３からコードが送出される経路は有線であっても、赤外線他の無線であっても構わない。同様に、赤外線発光ケーブル８においても、赤外線他の無線、有線は問わず記録機器の構成に適合したものであればよい。さらに、ロックすべき操作として電源オフを加えてもよい。この場合、録画中に拘らず電源オフしようとした場合にも、図４の警告表示がなされるため、録画中であることを再認識できる上、その場で録画停止させることが可能となる。
【００２７】
実施の形態２.
図５はこの発明の実施の形態２に係わるシステムの内部構成図を示している。図において、図２と同一または相当部分には同一符号を付している。図２と異なる部分について説明すると、チューナー部６が地上アナログ放送用チューナー部６ａと地上・衛星デジタル放送用チューナー部６ｂというように複数あり、さらに、テレビへの外部入力信号を入力する外部入力端子１７を備えている点である。
【００２８】
外部へ映像・音声信号を出力できる、例えばビデオテープレコーダのような信号発生装置２１からの信号を外部入力端子１７から入力し、地上アナログ放送用チューナー部６ａからの信号、地上・衛星デジタル放送用チューナー部６ｂからの信号と共にＡＶスイッチ１６に入力され、テレビ制御マイコン４の制御信号によって切り替えられる構成となっている。「ロック」キーを押して、テレビがチャンネルロック状態になった場合は、ＡＶスイッチ１６ａのロックも行われる。
【００２９】
例えば、ユーザがビデオテープレコーダのような信号発生装置２１から外部入力信号を視聴しているときに「ロック」キーを押した場合は、ＡＶスイッチ１６ａが外部入力のままロックする一方、チューナー系統の信号はロックする必要がないため、チャンネル、および音声切換モードは地上アナログ放送用チューナー部６ａと地上・衛星デジタル放送用チューナー部６ｂ共にロックされない。また、テレビで視聴する入力はＡＶスイッチ１６ｂによって自在に切り替えることが出来るため、録画中でも、地上波アナログ放送、デジタル放送などを視聴することが可能である。
【００３０】
また、ユーザが地上・衛星デジタル放送を視聴しているときに「ロック」キーを押した場合、ＡＶスイッチ１６ａは現状のまま地上・衛星デジタル放送系統のままでロックされ、さらに、地上・衛星デジタル放送用チューナー部６ｂのチャンネル、音声切換モードなどはロックされ映像／音声切換操作は出来なくなるが、ＡＶスイッチ１６ｂは自在に切り替えることが出来、デジタル放送を録画中でも、地上波アナログ放送、外部入力などを視聴することが可能である。地上波アナログ放送を録画する場合も、同様であることは言うまでもない。また、上記以外のテレビ制御手段４の制御フローチャートは、実施の形態１の図３と同等であり、また、警告表示も図４で説明したものと同等である。
【００３１】
実施の形態３.
図６はこの発明の実施の形態３に係わるシステムの内部構成図を示している。図において、図２、図５と同一または相当部分には同一符号を付している。実施の形態１、実施の形態２では、チャンネルロック状態になったときに録画再生装置の電源をオンするために、予め録画再生装置の方を電源オフ状態であるという前提で「電源」コードを送出する例について説明したが、予め録画再生装置の電源がオン状態であった場合も含め確実に電源オンできるように配慮したものである。
【００３２】
図６において、実施の形態１、実施の形態２と異なる点は、録画再生装置２の第２外部出力端子２３からの映像出力をテレビ１の外部入力端子１７bに入力し、該入力された映像信号は、同期信号検出回路２４に入力されるようにしたことである。同期信号検出回路２４では、入力された映像信号の同期信号が検出されれば“Ｈ”を、検出されなければ“Ｌ”の検出信号を出力し、テレビ制御手段７は、該検出信号を入力し、同期信号あり／同期信号なしを判断する。
【００３３】
次に、図７のテレビ制御手段７内部のＣＰＵ処理の一部を示すフローチャートを用いて詳細に説明する。図７は図３のＡ部の処理、即ち、チャンネルロック状態になった後に録画再生装置に対してコードを送出する部分についてのフローチャートのみを示しており、Ａ部以外は基本的に図３と同じとなる。
【００３４】
まず、“同期信号なし”と判定される回数を表す変数ｉを用意し、初期化（ｉ＝０）しておく（ステップＳ２００）。次に、ステップＳ２０１において同期信号検出結果を見て、“同期信号あり”の場合、すでに録画再生装置の電源がオン状態になっていると見なせるので、実施の形態１、実施の形態２と同様に、「外部入力１選択」、「ＨＤＤ選択」、「録画」コードを順に送出する（ステップＳ１０５、ステップＳ１０６、ステップＳ１０７）。
【００３５】
逆に、“同期信号なし”の場合、（a）録画再生装置のＡＣコンセントは入っているが、電源オフの状態、または、（b）電源はオンだが録画再生装置が別の入力系統を選択されている、または、（c）録画再生装置のＡＣコンセントがはいっていない、の３つのケースが考えられる。この場合、まずｉ＝１（“同期信号なし”と判定される回数が１回目）とした上で（ステップＳ２０２）、「電源」コードを送出する（ステップＳ２０３）。これによって、（a）のケースでは、録画再生装置は電源オンされ、（b）、（c）のケースでは、電源オフとなる。
【００３６】
その後、Ｔ１時間ウエイトした後（ステップＳ２０４）、「外部入力１選択」コードを送出する（ステップＳ２０５）。これによって、（a）のケースでは、録画再生装置は電源オンでかつ、外部入力１が選択され、テレビ１の録画用映像信号が録画再生装置の第１外部入力端子１９ａ→第２外部出力端子２３→テレビの外部入力端子１７ｂ→同期信号検出回路２４へと入力される。（b）、（c）のケースでは、録画再生装置の電源が入っていないので、当然同期信号検出回路２４にも映像信号は入力されない。その後、確実に同期信号検出するためにＴ４時間ウエイトした後（ステップＳ２０６）、再度同期信号検出結果を見る。
【００３７】
この時点で、（a）のケースでは、“同期信号あり”と判定されるので、前記同様、「外部入力１選択」、「ＨＤＤ選択」、「録画」コードを順に送出していく。（b）、（c）のケースでは、再度“同期信号なし”と判定されるので、ｉ＝２（“同期信号なし”と判定された回数が２回目）とした上で、再度「電源」コードの送出からやりなおす。このとき（b）のケースでは、今度は電源オンするので、再度同期信号検出結果を見るときには、“同期信号あり”と判定されるので、前記同様、「外部入力１選択」、「ＨＤＤ選択」、「録画」コードを順に送出していくことになる。
【００３８】
一方、（c）のケースでは、再度同期信号検出結果を見るときにも、“同期信号なし”のままなので、ｉ＝３となり、“電源オン出来ない”の警告表示を出すことになる。
ここで、ウエイト時間Ｔ４については、テレビ制御手段７が「外部入力１選択」コードを送出してから実際にテレビの録画用映像信号が同期信号検出回路に入力されて“Ｈ”検出結果を出すのに十分な時間であれば良い。
【００３９】
また、上記の信号検出回路２４の検出手段としては、同期信号の検出でもよく、また、信号の振幅レベルの検出でもよい。さらに、検出対象としては、実施の形態３では、映像信号としたが、音声信号を用いてもよく、その場合は、検出手段としては、信号の振幅レベルの検出が一般的である。
【００４０】
上記より明らかなように、仮に録画再生装置が「電源オン」コードをサポートしてなくて、「電源」コードによる電源オン／オフのトグル動作しかしない場合でも、録画再生装置のＡＣコンセントが入っていれば、確実に電源オンさせた上で録画を開始させることが可能となる。
ただし、録画再生装置のコンセントが抜かれている場合は、電源オンをさせることができない旨の警告表示を出すため、ユーザは録画再生装置のコンセントが抜けていることに気づくことが出来る。
【図面の簡単な説明】
【００４１】
【図１】本発明の実施の形態１になるシステム構成の外観図を示している。
【図２】図１で説明したシステムの内部構成図の一例を示している。
【図３】この発明の実施の形態１のテレビ制御手段の動作を示すフローチャートである。
【図４】この発明の警告表示の一例を示す表示例である。
【図５】この発明の実施の形態２によるシステム構成図を示している。
【図６】この発明の実施の形態３によるシステム構成図を示している。
【図７】この発明の実施の形態３のテレビ制御手段の図３と異なる部分の動作を示すフローチャートである。
【符号の説明】
【００４２】
１   テレビ
２   ＤＶＤレコーダー
３   リモコン
３ａ 「ロック」ボタン
４   テレビ制御手段
５   ＩＲ送信部
６   チューナー部
７   画面表示回路
８   赤外線発光ケーブル
９   ＡＶケーブル
１０ アンテナ
１２ 映像表示回路
１４ リモコン受光部１
１５ リモコン受光部２
１６ａ、１６ｂ ＡＶスイッチ
１７a、１７ｂ   外部入力端子
１８ 外部出力回路
１９ａ、１９ｂ 外部入力端子
２１ 信号発生装置
２２ 赤外線発光部
２３    第２外部出力端子
２４    同期信号検出回路
【図１】
2007251628.tif 000003
【図２】
2007251628.tif 000004
【図３】
2007251628.tif 000005
【図４】
2007251628.tif 000006
【図５】
2007251628.tif 000007
【図６】
2007251628.tif 000008
【図７】
2007251628.tif 000009